(57)【要約】      （修正有）【課題】マウス操作でカーソルを縦横に動かす際の、腕の動作を楽にし、作図等の作業効率を向上する。【解決手段】切欠ロール穴６を施した、マウスパット本体２に内蔵させて、減速装置を組付けたミニモーターを設け、このミニモーターに電気的接続を施した電源を設け、さらに減速装置に連接連動させて、回転ベルト５を設け、次にこの回転ベルト５のベルト上面が、前記マウスパット本体の切欠ロール穴６のパッド表面９に面合わせて同一面にして調整し設ける、最後にマウス７の機動スイッチ８とミニモーターを結線接続し、パソコン１０の画面上にあるカーソル矢印１１が、マウス７を動かさなくても、縦方向に軽く動くように制御して成ることを特徴とする。また、機動スイッチ８を設けた。【選択図】図１
2009140461.tif 000002
【特許請求の範囲】
【請求項１】
切欠ロール穴（６）を施した、マウスパッド本体（２）に内蔵させて、減速装置（３）を組付けたミニモーター（１）を設け、このミニモーター（１）に電気的接続を施した電源（４）を設け、さらに減速装置（３）に連接連動させて、回転ベルト（５）を設け、次にこの回転ベルト（５）のベルト上面が、前記マウスパッド本体の切欠ロール穴（６）のパッド表面（９）に、面合わせて同一面にして調整し設ける、またマウス（７）の適当なる位置に、ミニモーター（１）を動作させる、機動スイッチ（８）を設け、次にこの該スイッチとミニモーター（１）と電源（４）を結線して設け、パソコン（１０）の画面上にあるカーソル矢印（１１）が、マウス（７）を動かさなくても、縦方向に軽く動くように制御して成る、マウス縦移動補助付マウスパッド。
【請求項２】
マウスパッド本体（２）の上端部（１３）と下端部（１４）のパッド表面（９）の適当なる位置に、機動スイッチ（８）を設け、操作するマウス（７）を、この該スイッチに当てるだけで、ミニモーター（１）のＯＮ−ＯＦＦ操作ができるようにした、請求項１記載の、マウス縦移動補助付マウスパッド。
【発明の詳細な説明】
【技術分野】
【０００１】  本発明は、パソコン画面での図面設計技術者等のマウス操作に於ける、縦上下方向にカーソルを動かす負担を最小限に押さえる、技術に関するものである。
【背景技術】
【０００２】  従来、パソコンに於いて設計図面を１日中仕事としている人達にとって、マウスを動かす作業が如何に大変であるか、それにより腕、手首、肩、背中、首の疲労は、長時間に渡り蓄積され健康面の配慮を要する程、厳しい事は十分に認識されており、これは周知の事実である。こうした中で近年、特開平７−２８７６３９「マウス装置」のごとく、マウスを載置するマウスパッドをターンテーブルにして、マウストラックボールを３６０度に回転させて、カーソル移動距離を稼ぐものだが、マウスも動かしながらマウスパッドも、回転機構で動くので、カーソルのコントロール、つまり位置決め等大変である。また、機構装置が複雑であり、マウスパットを薄い構造に形成することは無理であった。また、特開２０００−１４８３８９「座標入力補助装置及びマウス」のごとく、概略説明すると、カーソルの移動量とマウス移動の座標ベクトル量を演算、記憶させて於いて、現在・以前の選択した座標ベクトル等を呼出し、スイッチ操作でマウスを動かさず所定のカーソル位置にカーソルを移動させるものとなっているが、毎回毎回ＣＡＤ等の図面は複雑に変化し記憶手段で、カーソルが動かれては困る場合が多いのである。
【発明の開示】
【発明が解決しようとする課題】
【０００３】  このようにいろいろ開示技術も含めて、マウスを動かしてパソコン画面でのカーソルのポイント合わせは大変であるが、特にマウスを縦方向前後に動かす時に腕、手首、肩の移動範囲が大きく、作図設計技術者の最大の負担となっている。また、左右方向には手首および腕を軽く動かす程度で、マウスの移動は少なくて済むことが判明した。
これら問題点を改善するために本発明はなされたのである。
【課題を解決するための手段】
【０００４】  つまり、縦方向前後のマウス動作距離を最小にする手段を採用すれば、十分に問題点を解消する事が判明した、この課題を解決する手段として、マウスパッド本体（２）に切欠ロール穴（６）を、その中央部に設ける。そしてこのマウスパッド本体（２）の中に内蔵させて、減速装置（３）を回転軸に組付けた、ミニモーター（１）を設ける。
次に該モーターと、電源（４）を電気的に接続し設ける。さらに減速装置（３）に連接連動して回転する、回転ベルト（５）を設ける。この該ベルトの外周上面は、マウスパット本体（２）の切欠ロール穴（６）のパッド表面（９）に面合わせに調整して、同一面にして、該穴を塞ぐようにして設ける。次にマウス（７）の適当なる箇所に、該モーターの電源（４）をＯＮ−ＯＦＦさせる機動スイッチ（８）を設け、最後にこの該スイッチと電源（４）とミニモーター（１）を結線接続して設ける。また、マウスパッド本体（２）の上端部（１３）と下端部（１４）のパッド表面（９）の適当なる位置に、機動スイッチ（８）を設け、そしてこれと電源（４）に結線接続して設ける。これによりマウス（７）をこの該スイッチに当てるだけで、ミニモーター（１）のＯＮ−ＯＦＦ操作を行えるようになる事は、ベストモードである。
【発明の効果】
【０００５】  本発明により、パソコン（１０）の画面上にあるカーソル矢印（１１）が、マウスを動かさなくても（つまり腕を動かさなくても）縦方向に軽く動くので、ＣＡＤ図面での疲労の原因である、前後の腕動作が楽になり大幅に作図等の作業効率が上がった。
【発明を実施するための最良の形態】
【０００６】  ベストモードとしての本発明を、以下、図面を参考に説明すれば、図１〜図２に示すごとく、マウスパッド本体（２）の中央部付近に切欠ロール穴（６）を設ける。これはマウス（７）から発する、光ビーム（１２）を下へ通すために設ける。また、図３〜図４ごとく、マウスパッド本体（２）の中に内蔵させて、減速装置（３）を回転軸に組付けたミニモーター（１）を設ける。また、該モーターに電気的に接続する電源（４）を同じく内蔵して該モーターに配線して設け、さらに減速装置（３）に連接連動して回転する、回転ベルト（５）をこの減速装置（３）に取付けて、同じく該パッド本体に内蔵して設ける。また図１〜図２のごとく、この回転ベルト（５）の外周上面は、マウスパッド本体（２）の切欠ロール穴（６）の最上面にあたる、パッド表面（９）と面合わせに同一面に調整して、この該穴を完全に塞ぐようにして、この部分が平面になるように設ける。それによりマウス（７）より発する、光ビーム（１２）を回転ベルト（５）の上面で受け止めるようになる。つまりパソコン（１０）の、画面上のカーソル矢印（１１）が、この回転ベルト（５）の表面の動きに従って、回転方向に動くことになる。そして最後に、マウス（７）の適当なる箇所に、該モーターの電源（４）をＯＮ−ＯＦＦさせる機動スイッチ（８）を設け、さらにこれを、電源（４）に結線接続して設ける。これによりミニモーター（１）は、マウスに設けた、機動スイッチ（８）のＯＮ−ＯＦＦ操作により、正回転・逆回転・ストップの動きが出来るので、機動スイッチ（８）のマウス（７）に於ける取付位置は、扱者の握り手の指で操作出来る位置がベストとである。また、図１、図２に示すごとくマウスパッド本体（２）の上端部（１３）と下端部（１４）のパッド表面（９）にもこの機動スイッチ（８）を設ける。これによりマウス（７）の前後を、該スイッチに当てるだけで、ミニモーター（１）のＯＮ−ＯＦＦ操作ができ、当てたり、外したりするだけで、カーソル矢印（１１）の位置移動停止等がコントロール出来る。【０００７】  本発明は以上のような構成であり、これを使用せんとするときには、まず図１のごとくマウス（７）の光ビーム（１２）を、マウスパッド本体（２）の切欠ロール穴（６）に平面一体になっている、回転ベルト（５）の上に持って行き、マウス（７）の機動スイッチ（８）のＯＮ−ＯＦＦ操作を行う。そしてカーソル矢印（１１）を上下方向に動かす時は、マウス（７）を動かさなくても、光ビーム（１２）が回転ベルト（５）の上表面の動きを感知して、カーソル矢印（１１）を縦上下方向に動かしてくれる。つまりこの状態は、ＫＡＤ等の図面技術者の腕を動かす必要がなく、斜めの上下方向にはほんの少し、マウス（７）を手首だけで左右方向に振るだけで済む。また左右横方向へのカーソル矢印（１１）の動きは、切欠ロール穴（６）を外した、マウスパッド本体（２）の表面を使用して、従来通りに扱えば、少しの手首だけの力加減で行える。また、回転ベルト（５）を停止してる場合は、この部分でも、気にせずマウスパッド本体（２）の全体として、マウス（７）を扱える。さらに該スイッチはマウスパッド本体（２）の、上端部（１３）と下端部（１４）にも形��は異なるが、装着されているので、マウス（７）の前後をここに当てるだけで、カーソル矢印の縦上下方向の動きのＯＮ−ＯＦＦ操作のコントロールができる。
【図面の簡単な説明】
【０００８】
【図１】  本発明の実施図である。
【図２】  本発明の実施説明図である。
【図３】  本発明の断面説明図である。
【図４】  本発明の構成図である。
【符号の説明】
【０００９】  １  ミニモーター
２  マウスパッド本体
３  減速装置
４  電源
５  回転ベルト
６  切欠ロール穴
７  マウス
８  機動スイッチ
９  パッド表面
１０  パソコン
１１  カーソル矢印
１２  光ビーム
１３  上端部
１４  下端部
【図１】
2009140461.tif 000003
【図２】
2009140461.tif 000004
【図３】
2009140461.tif 000005
【図４】
2009140461.tif 000006